(57)【要約】【課題】  定期予約録画時に指定される記録先媒体が未装着の場合に他の記録媒体に代替録画したコンテンツを後刻に指定される記録先媒体にダビングした場合にコンテンツ管理番号が不連続となり録画順と不一致なコンテンツ再生となる【解決手段】  定期予約録画制御処理によって、定期予約録画処理が行われる場合に録画される一連のコンテンツを定期予約録画単位に管理する定期予約録画コンテンツ管理情報を作成し、定期予約録画コンテンツダビング制御処理によって、代替録画された定期予約録画コンテンツのダビング先でのコンテンツ識別情報を定期予約録画順に再設定することを可能とする。【選択図】  図２
2005328193.tif 000002
【特許請求の範囲】
【請求項１】
内蔵型または可搬型の第一記録媒体と可搬型の第二記録媒体を有し、記録先媒体を指定する定期予約録画機能を備える録画再生装置において、
ユーザによって設定される定期予約録画に関する情報を定期予約録画設定情報として退避する定期予約録画設定手段と、
定期予約録画の記録先媒体として指定された記録媒体が装着されたことを検知する記録媒体検知手段と、
定期予約録画の開始時刻を通知するタイマー手段と、
前記タイマー手段からの通知と前記定期予約録画設定情報と前記記録媒体検知手段の検知結果より定期予約録画処理の実行制御を行うと共に定期予約録画により記録する定期予約録画コンテンツの定期予約録画コンテンツ管理情報を作成する定期予約録画制御手段と、
記録済みコンテンツのダビング設定を行うダビング設定手段と、
前記ダビング設定手段からの指示により前記定期予約録画コンテンツ管理情報を参照して定期予約録画されたコンテンツのダビング制御を行う定期予約録画コンテンツダビング制御手段と、
前記定期予約録画コンテンツダビング制御手段の指示に従って記録済みコンテンツの識別子を編集するコンテンツ識別子編集手段と、
を備えることを特徴とするダビングコンテンツ再生順番制御装置。
【請求項２】
前記定期予約録画設定情報は、少なくとも、
設定済みの定期予約録画設定の総数と、
定期予約録画を個別に識別する為の定期予約録画識別子と、
定期予約録画を行う時間設定とチャンネル設定を含む定期予約録画条件と、
定期予約録画を行う記録先媒体識別子と、
を含むことを特徴とする請求項１記載のダビングコンテンツ再生順番制御装置。
【請求項３】
前記定期予約録画制御手段は更に、定期予約録画の記録先媒体が未装着の場合には代替記録媒体への代替記録を行うと共に、
前記定期予約録画コンテンツ管理情報に少なくとも、
録画処理が行われた定期予約録画の総数と、
前記定期予約録画識別子と、
前記定期予約録画識別子で特定する定期予約録画設定時の記録先媒体識別子と、
前記定期予約録画識別子で特定する定期予約録画毎の記録コンテンツ総数と、
前記定期予約録画識別子で特定する定期予約録画毎の記録済媒体識別子と、
前記定期予約録画識別子で特定する定期予約録画毎の記録コンテンツ識別子と、
を記録することを特徴とする請求項１記載のダビングコンテンツ再生順番制御装置。
【請求項４】
前記定期予約録画コンテンツダビング制御手段は、
前記定期予約録画識別子で管理される記録コンテンツのコンテンツ識別子がダビング先記録媒体上で連続値となるように記録先媒体上のコンテンツ識別子の編集制御を行うことを特徴とする請求項１記載のダビングコンテンツ再生順番制御装置。
【請求項５】
前記定期予約録画制御手段は更に、
定期予約録画を代替録画で行った後、
前記記録先媒体識別子と一致する記録先媒体の装着を検知した場合に、
次回定期録画予約開始時刻までに代替録画した記録コンテンツを前記記録先媒体へのダビングを行うことを特徴とする請求項１記載のダビングコンテンツ再生順番制御装置。
【請求項６】
前記定期予約録画制御手段は更に、
定期予約録画の記録先媒体が追記型の場合に、
既に記録先媒体以外の媒体上に代替録画を行ったコンテンツが存在する状態であれば、
記録先媒体が装着状態であっても代替録画処理を行うことを特徴とする請求項１記載のダビングコンテンツ再生順番制御装置。
【請求項７】
内蔵型または可搬型の第一記録媒体と可搬型の第二記録媒体を有し、記録先媒体を指定する定期予約録画機能を備える録画再生装置において、
ユーザによって設定される定期予約録画に関する情報を定期予約録画設定情報として退避する定期予約録画設定ステップと、
定期予約録画の記録先媒体として指定された記録媒体が装着されたことを検知する記録媒体検知ステップと、
定期予約録画の開始時刻を通知するタイマーステップと、
前記タイマーステップからの通知と前記定期予約録画設定情報と前記記録媒体検知ステップの検知結果より定期予約録画処理の実行制御を行うと共に定期予約録画により記録する定期予約録画コンテンツの定期予約録画コンテンツ管理情報を作成する定期予約録画制御ステップと、
記録済みコンテンツのダビング設定を行うダビング設定ステップと、
前記ダビング設定ステップからの指示により前記定期予約録画コンテンツ管理情報を参照して定期予約録画されたコンテンツのダビング制御を行う定期予約録画コンテンツダビング制御ステップと、
前記定期予約録画コンテンツダビング制御ステップの指示に従って記録済みコンテンツの識別子を編集するコンテンツ識別子編集ステップと、
を備えることを特徴とするダビングコンテンツ再生順番制御方法。
【請求項８】
前記定期予約録画設定情報は、少なくとも、
設定済みの定期予約録画設定の総数と、
定期予約録画を個別に識別する為の定期予約録画識別子と、
定期予約録画を行う時間設定とチャンネル設定を含む定期予約録画条件と、
定期予約録画を行う記録先媒体識別子と、
を含むことを特徴とする請求項７記載のダビングコンテンツ再生順番制御方法。
【請求項９】
前記定期予約録画制御ステップは更に、定期予約録画の記録先媒体が未装着の場合には代替記録媒体への代替記録を行うと共に、
前記定期予約録画コンテンツ管理情報に少なくとも、
録画処理が行われた定期予約録画の総数と、
前記定期予約録画識別子と、
前記定期予約録画識別子で特定する定期予約録画設定時の記録先媒体識別子と、
前記定期予約録画識別子で特定する定期予約録画毎の記録コンテンツ総数と、
前記定期予約録画識別子で特定する定期予約録画毎の記録済媒体識別子と、
前記定期予約録画識別子で特定する定期予約録画毎の記録コンテンツ識別子と、
を記録することを特徴とする請求項７記載のダビングコンテンツ再生順番制御方法。
【請求項１０】
前記定期予約録画コンテンツダビング制御ステップは、
前記定期予約録画識別子で管理される記録コンテンツのコンテンツ識別子がダビング先記録媒体上で連続値となるように記録先媒体上のコンテンツ識別子の編集制御を行うことを特徴とする請求項７記載のダビングコンテンツ再生順番制御方法。
【請求項１１】
前記定期予約録画制御ステップは更に、
定期予約録画を代替録画で行った後、
前記記録先媒体識別子と一致する記録先媒体の装着を検知した場合に、
次回定期録画予約開始時刻までに代替録画した記録コンテンツを前記記録先媒体へのダビングを行うことを特徴とする請求項７記載のダビングコンテンツ再生順番制御方法。
【請求項１２】
前記定期予約録画制御ステップは更に、
定期予約録画の記録先媒体が追記型の場合に、
既に記録先媒体以外の媒体上に代替録画を行ったコンテンツが存在する状態であれば、
記録先媒体が装着状態であっても代替録画処理を行うことを特徴とする請求項７記載のダビングコンテンツ再生順番制御方法。
【請求項１３】
請求項７から請求項１２のいずれか一つに記載の継続録画コンテンツ結合ダビング方法としてコンピュータを機能させるためのダビングコンテンツ再生順番制御プログラム。
【請求項１４】
前記請求項１３に記載のコンピュータプログラムを記録したことを特徴とするコンピュータ読み取り可能な記録媒体。
【発明の詳細な説明】
【技術分野】
【０００１】
本発明は２つ以上の記録媒体を備えた録画再生装置、又は２つ以上の記録媒体を備えた録画再生システムに関し、定期予約録画でユーザが所望した記録先媒体と異なる記録媒体に録画されたコンテンツを、ユーザが所望した記録先媒体にダビングする際にコンテンツ管理番号が録画順になるように編集する機能に関する。
【背景技術】
【０００２】
デジタル多用途ディスク（以後ＤＶＤと呼ぶ）レコーダ及びハードディスクドライブ（以後ＨＤＤと呼ぶ）レコーダが、家庭用ＶＴＲの後継機として普及しつつある。記録媒体としてのＤＶＤ、ＨＤＤにはそれぞれ一長一短があり、一言で優劣をつけるのは難しい。このことからメーカー各社は、ＤＶＤレコーダとＨＤＤレコーダの両者の機能を合わせ持つ融合型レコーダを市場に投入している。
融合型レコーダの特徴の１つとして、記録先媒体として指定したＤＶＤが未装着状態であっても、ＨＤＤへの録画を行うことができる（以後、代替録画と記す）。これにより、少なくともＡＶコンテンツの録画処理は実行されているので、ユーザは代替録画後に本来の記録先であったＤＶＤを装着し、ＨＤＤ側からＤＶＤ側へのダビング処理をすることで、本来の記録先への録画を完了することができる。
異なる記録媒体に跨ってコンテンツが記録される時に、継続して記録する媒体上でのコンテンツ管理情報を更新する文献としては以下のものがある（特許文献１参照）。
【特許文献１】特開平６−２５１５６５号公報
【発明の開示】
【発明が解決しようとする課題】
【０００３】
しかしながら、前記従来の構成では、代替録画によって異なる記録媒体上に録画された定期予約録画コンテンツをダビング処理によって本来の録画先媒体に記録することは出来るが、本来の録画先媒体でのコンテンツ管理番号は、録画先媒体での管理情報の状態に応じて定めている。
従って、定期予約録画において、最初の定期予約録画時に代替録画が行われた後、次回の定期予約録画が本来の記録媒体上に行われた場合、代替録画されたコンテンツを本来の記録媒体へのダビングする行為は本来の記録媒体上への追記記録として扱われる。このため、代替録画時の時刻が早かったにもかかわらず、本来の記録媒体上では、追記記録時の時刻に新規記録されたコンテンツとしての管理番号が付与されることとなる。
【０００４】
例えば、毎週月曜２０時の４Ｃｈで放映される１時間の連続ドラマをＤＶＤに定期予約録画する場合を想定する。図４（ａ）は、第一週目の放送時にＤＶＤが未装着であった為、ＨＤＤに第1話が代替録画された状態を示す。ここで、タイトル名称と併記している数値は記録媒体上でシーケンシャルに付与される管理番号である。図４（ｂ）は、第二週、第三週、放送時にはＤＶＤが装着状態であった為、本来の記録先であるＤＶＤに第２話、第３話が録画された状態を示す。図４（ｃ）は、代替録画された第１話のコンテンツを、本来の録画先であるＤＶＤへダビングした状態を示す。ここで、ＤＶＤへのダビングは、ＤＶＤへの新規追加として扱われるため、第１話の管理番号は第２話、第３話よりも後の番号が付与されている。ＤＶＤへの記録順に管理番号を付与した結果であるが、ＤＶＤのコンテンツリストを表示する際に、コンテンツの管理番号順に表示した場合、代替録画後にダビングされた第１話よりも、第２話、第３話の方が上位に表示されることとなる。この状態で順次再生操作を行うと、第２話、第３話に続けて、第１話が再生されることとなり、ユーザの立場からは連続ドラマとして再生順に意味をもったコンテンツの視聴が妨げられる状態となる。
【０００５】
もちろん、コンテンツリストの表示順はコンテンツ管理番号以外の指定も可能であり、タイトル順に並べ替えを行えばユーザの意図に沿った再生制御は可能である。しかしタイトル名については、ＥＰＧサービス等でコンテンツプロバイダがどのようなタイトル名称を付けるかに依存することとなり確実性がない。図４に示したように、連続性を持った意味のあるタイトル情報が提供されれば問題ないが、ＥＰＧによっては毎週同じタイトル情報が提供される場合もある。この場合はタイトル情報をキーに、コンテンツリストの並べ替えをすることは出来ない。また、記録時間（タイムスタンプ）情報については、図４（ｃ）の状態においても第２話、第３話、第１話の順であり、コンテンツリストの並べ替えをすることはできない。放映時間情報については、少なくとも定期予約録画コンテンツ間の順序関係に沿った並べ替えが可能であるが、定期予約録画コンテンツ以外のコンテンツが混在した場合には、定期予約録画コンテンツの間に、全く無関係のコンテンツが表示される場合が起こり得る。その他の方法としては、プレイリスト情報を用いる方法がある。プレイリスト情報はコンテンツのストリームデータは共有せずに再生区間を管理する情報である。従って、図４（ｃ）の場合に、プレイリストによる再生順を、第１話、第２話、第３話の順に設定すれば、定期予約録画順の再生は可能である。しかしながら、この方法はユーザにプレイリスト設定操作を強いるため、操作性の面で課題がある。
【０００６】
本発明は、前記従来の課題を解決するもので、代替録画された定期予約録画コンテンツを本来の記録先媒体にダビングする際に、コンテンツ管理番号を定期予約録画順と対応させた値となるように更新制御する機能を提供することを目的とする。
【課題を解決するための手段】
【０００７】
前記従来の課題を解決するために、本発明のダビングコンテンツ再生順番制御装置は、
ユーザによって設定される定期予約録画に関する情報を定期予約録画設定情報（２０１）として退避する定期予約録画設定手段（２００）と、定期予約録画の記録先媒体として指定された記録媒体が装着されたことを検知する記録媒体検知手段（２０２）と、定期予約録画の開始時刻を通知するタイマー手段（２０３）と、前記タイマー手段からの通知と前記定期予約録画設定情報と前記記録媒体検知手段の検知結果より定期予約録画処理の実行制御を行うと共に定期予約録画により記録する定期予約録画コンテンツの定期予約録画コンテンツ管理情報を作成する定期予約録画制御手段（２０４）と、記録済みコンテンツのダビング設定を行うダビング設定手段（２０７）と、前記ダビング設定手段からの指示により前記定期予約録画コンテンツ管理情報を参照して定期予約録画されたコンテンツのダビング制御を行う定期予約録画コンテンツダビング制御手段（２０８）と、前記定期予約録画コンテンツダビング制御手段の指示に従って記録済みコンテンツの識別子を編集するコンテンツ識別子編集手段（２１０）を備えることを特徴とし、定期予約録画の記録先媒体が未装着の場合には代替記録媒体への代替記録を行うと共に、定期予約録画したコンテンツのコンテンツ識別子がダビング先記録媒体上で連続値となるように記録先媒体上のコンテンツ識別子の更新を行う。
【０００８】
また、本発明のダビングコンテンツ再生順番制御装置は、前記定期予約録画設定情報は、少なくとも設定済みの定期予約録画設定の総数と、定期予約録画を個別に識別する為の定期予約録画識別子と、定期予約録画を行う時間設定とチャンネル設定を含む定期予約録画条件と、定期予約録画を行う記録先媒体識別子を含むことを特徴とする。
【０００９】
また、本発明のダビングコンテンツ再生順番制御装置は、前記定期予約録画制御手段は更に、定期予約録画の記録先媒体が未装着の場合には代替記録媒体への代替記録を行うと共に、前記定期予約録画コンテンツ管理情報に少なくとも録画処理が行われた定期予約録画の総数と、前記定期予約録画識別子と、前記定期予約録画識別子で特定する定期予約録画設定時の記録先媒体識別子と、前記定期予約録画識別子で特定する定期予約録画毎の記録コンテンツ総数と、前記定期予約録画識別子で特定する定期予約録画毎の記録済媒体識別子と、前記定期予約録画識別子で特定する定期予約録画毎の記録コンテンツ識別子を記録することを特徴とする。
【００１０】
また、本発明のダビングコンテンツ再生順番制御装置は、前記定期予約録画コンテンツダビング制御手段は、前記定期予約録画識別子で管理される記録コンテンツのコンテンツ識別子がダビング先記録媒体上で連続値となるように記録先媒体上のコンテンツ識別子の編集制御を行うことを特徴とする。
【００１１】
また、本発明のダビングコンテンツ再生順番制御装置は、前記定期予約録画制御手段は更に、定期予約録画を代替録画で行った後、前記記録先媒体識別子と一致する記録先媒体の装着を検知した場合に、次回定期録画予約開始時刻までに代替録画した記録コンテンツを前記記録先媒体へのダビングを行うことを特徴とする。
【００１２】
また、本発明のダビングコンテンツ再生順番制御装置は、前記定期予約録画制御手段は更に、定期予約録画の記録先媒体が追記型の場合に、既に記録先媒体以外の媒体上に代替録画を行ったコンテンツが存在する状態であれば、記録先媒体が装着状態であっても代替録画処理を行うことを特徴とする。
【００１３】
また、本発明のダビングコンテンツ再生順番制御方法は、ユーザによって設定される定期予約録画に関する情報を定期予約録画設定情報として退避する定期予約録画設定ステップと、定期予約録画の記録先媒体として指定された記録媒体が装着されたことを検知する記録媒体検知ステップと、定期予約録画の開始時刻を通知するタイマーステップと、前記タイマーステップからの通知と前記定期予約録画設定情報と前記記録媒体検知ステップの検知結果より定期予約録画処理の実行制御を行うと共に定期予約録画により記録する定期予約録画コンテンツの定期予約録画コンテンツ管理情報を作成する定期予約録画制御ステップと、記録済みコンテンツのダビング設定を行うダビング設定ステップと、前記ダビング設定ステップからの指示により前記定期予約録画コンテンツ管理情報を参照して定期予約録画されたコンテンツのダビング制御を行う定期予約録画コンテンツダビング制御ステップと、前記定期予約録画コンテンツダビング制御ステップの指示に従って記録済みコンテンツの識別子を編集するコンテンツ識別子編集ステップを備えることを特徴とする。
【００１４】
また、本発明のダビングコンテンツ再生順番制御方法は、前記定期予約録画設定情報は、少なくとも設定済みの定期予約録画設定の総数と、定期予約録画を個別に識別する為の定期予約録画識別子と、定期予約録画を行う時間設定とチャンネル設定を含む定期予約録画条件と、定期予約録画を行う記録先媒体識別子を含むことを特徴とする。
【００１５】
また、本発明のダビングコンテンツ再生順番制御方法は、前記定期予約録画制御ステップは更に、定期予約録画の記録先媒体が未装着の場合には代替記録媒体への代替記録を行うと共に、前記定期予約録画コンテンツ管理情報に少なくとも録画処理が行われた定期予約録画の総数と、前記定期予約録画識別子と、前記定期予約録画識別子で特定する定期予約録画設定時の記録先媒体識別子と、前記定期予約録画識別子で特定する定期予約録画毎の記録コンテンツ総数と、前記定期予約録画識別子で特定する定期予約録画毎の記録済媒体識別子と、前記定期予約録画識別子で特定する定期予約録画毎の記録コンテンツ識別子を記録することを特徴とする。
【００１６】
また、本発明のダビングコンテンツ再生順番制御方法は、前記定期予約録画コンテンツダビング制御ステップは、前記定期予約録画識別子で管理される記録コンテンツのコンテンツ識別子がダビング先記録媒体上で連続値となるように記録先媒体上のコンテンツ識別子の編集制御を行うことを特徴とする。
【００１７】
また、本発明のダビングコンテンツ再生順番制御方法は、前記定期予約録画制御ステップは更に、定期予約録画を代替録画で行った後、前記記録先媒体識別子と一致する記録先媒体の装着を検知した場合に、次回定期録画予約開始時刻までに代替録画した記録コンテンツを前記記録先媒体へのダビングを行うことを特徴とする。
【００１８】
また、本発明のダビングコンテンツ再生順番制御方法は、前記定期予約録画制御ステップは更に、定期予約録画の記録先媒体が追記型の場合に、既に記録先媒体以外の媒体上に代替録画を行ったコンテンツが存在する状態であれば、記録先媒体が装着状態であっても代替録画処理を行うことを特徴とする。
【００１９】
また、本発明のダビングコンテンツ再生順番制御プログラムは、請求項７から請求項１２のいずれか一つに記載の継続録画コンテンツ結合ダビング方法としてコンピュータを機能させることを特徴とする。
【００２０】
また、本発明のコンピュータ読み取り可能な記録媒体は、前記請求項１３に記載のコンピュータプログラムを記録したことを特徴とする。
【発明の効果】
【００２１】
本発明によれば、定期予約録画時に代替録画されたコンテンツを本来の記録先媒体にダビングした場合であっても、本来の記録先媒体上でのコンテンツ識別子を定期予約録画の発生順に設定することで、定期予約録画コンテンツの再生順を時系列に管理することができる。
【００２２】
また、本発明によれば、次回定期予約録画が開始される前に代替録画したコンテンツを本来の記録先媒体にダビングすることで、記録先媒体上のコンテンツ識別子を更新することなく、定期予約録画コンテンツの再生順を時系列に管理することができる。
【００２３】
また、本発明によれば、書き換え不可能な記録メディア上で、定期予約録画コンテンツの再生順を非時系列で記録される状態を回避することができる。
【００２４】
このように、本発明によれば、代替記録された定期予約録画コンテンツを、本来の記録先媒体にダビングした場合に、定期予約録画コンテンツの再生順を時系列に管理することができる。
【発明を実施するための最良の形態】
【００２５】
以下本発明の実施の形態について、図面を参照しながら説明する。
（実施の形態１）
第一実施例は定期予約録画時に代替録画されたコンテンツを本来の記録先媒体にダビングした場合に、本来の記録先媒体上でのコンテンツ識別子を定期予約録画の発生順に設定する為の、定期予約録画制御と定期予約録画コンテンツダビング制御に関するものである。
【００２６】
図５（ａ）は、本発明の第一実施例に係る定期予約録画制御処理と定期予約録画コンテンツダビング制御処理が行われた後の状態の概要を示す図である。
従来例による定期予約録画コンテンツのダビング後の状態を示した図４（ｃ）と比較して明らかな様に、従来例では定期予約録画が、第１話（代替記録）、第２話（通常記録）、第３話（通常記録）の順で発生したにもかかわらず、代替録画された第1話を本来記録先であるＤＶＤへダビングした状態のコンテンツ識別子は、第２話（コンテンツ識別子：１）、第３話（同：２）、第３話（同：３）の順で管理されていた。
一方、本実施の形態では、図５（ａ）に示す様に、定期予約録画の発生した順でコンテンツ識別子が設定されている。
本発明の第一実施例に係るダビングコンテンツ再生順番制御装置は、定期予約録画制御手段によって、定期予約録画処理が行われる場合に録画される一連のコンテンツを、定期予約録画単位に管理する定期予約録画コンテンツ管理情報を作成し、定期予約録画コンテンツダビング制御手段によって、代替録画された定期予約録画コンテンツのダビング先でのコンテンツ識別情報を定期予約録画順に再設定することができる。
【００２７】
次に、上記の定期予約録画制御と定期予約録画コンテンツダビング制御を実行するダビングコンテンツ再生順番制御装置の構成について説明する。
図１は、本発明の実施の形態１の構成を示す。この録画再生装置には、アンテナ１０２及びモニター１０３が接続されている。この録画再生装置は、アンテナ１０２で受信された電波から得られた映像及び音声を記録媒体１３４に記録し、記録された映像をモニター１０３上で再生することができる。
録画再生装置のチューナー１１２は、アンテナ１０２で受信された電波から目的のチャンネルを選局し、そのチャンネルの映像及び音声をエンコーダ１１３に与える。エンコーダ１１３は、与えられた映像及び音声を所定の記録形式で符号化する。エンコーダ１１３により符号化されたデータは、記録媒体１３４に記録される。デコーダ１１６は、記録媒体１３４に記録されたデータを復号化し、出力制御部１１５は出力対象となるコンテンツ保護情報に応じたコピー制限情報の重畳制御を行い、復号化した映像のデータをオーバーレイ部１１４に出力する。
次に、ＯＳＤ表示部１１７は、録画再生装置の動作設定や状況を表す表示データを作成する。オーバーレイ部１１４は、デコーダ１１６からの映像のデータにＯＳＤ表示部１１７からの表示データを合成した所定の表示形式の映像を生成する。オーバーレイ部１１４により生成された映像が、モニター１０３上に表示される。
【００２８】
モニター１０３に表示された映像を見る指示やその他の録画再生装置に対する指示をユーザが行うのに、例えばリモコン１０１が用いられる。ユーザがリモコン１０１を用いて指示を入力すると、ユーザ入力部１１１が、リモコン１０１からの入力を受け付け、その内容をＣＰＵ１３１に伝える。ＣＰＵ１３１は、バス１２０を通じて行われるデータ転送や録画再生装置における各種の処理を制御する。ＲＯＭ１３２には、プログラムが記録されており、ＣＰＵ１３１は、ＲＡＭ１３３を用いながら、このプログラムに従って動作する。
ＲＯＭ１３２に記録されたプログラムには、本発明によって提供される定期予約録画制御プログラムと定期予約録画コンテンツダビング制御プログラムが含まれる。ＣＰＵ１３１やＲＯＭ１３２、ＲＡＭ１３３などによって構成される録画再生装置内のコンピュータと、この定期予約録画制御プログラムと定期予約録画コンテンツダビング制御プログラムが協働することによって、録画再生装置は、本発明によって提供されるダビングコンテンツ再生順番制御装置として機能する。
【００２９】
以上のように構成されたダビングコンテンツ再生順番制御装置の定期予約録画制御動作と定期予約録画コンテンツダビング制御動作について説明する。
図１２（ａ）に、本発明を適用するダビングコンテンツ再生順番制御装置の定期予約録画制御で用いる定期予約録画設定情報のフォーマット構造を示す。ダビングコンテンツ再生順番制御装置における定期予約録画設定手段は、ユーザによって設定される定期予約録画に関する情報を、前記フォーマット構造の定期予約録画設定情報として退避する。ここで、定期予約録画設定総数は、現在、ユーザによって設定されている定期予約録画の総数を退避する。定期予約録画設定情報における定期予約録画は以下に述べる定期予約録画識別子、定期予約録画条件、記録先媒体識別子、の３つの情報を一組として構成する。定期予約録画識別子は、各定期予約録画を一意に識別するための値を退避する。定期予約録画条件は、定期予約録画識別子で特定される定期予約録画を行う時間設定とチャネル設定を退避する。記録先媒体識別子は、定期予約録画識別子で特定される定期予約録画の録画先とする記録媒体を一意に識別するための値を退避する。
【００３０】
図１２（ｂ）に、本発明を適用するダビングコンテンツ再生順番制御装置の定期予約録画コンテンツダビング制御で用いる定期予約録画コンテンツ管理情報のフォーマット構造を示す。定期予約録画総数は、定期予約録画設定情報で設定された定期予約録画のうち、録画処理が行われた定期予約録画の総数を退避する。定期予約録画コンテンツ管理情報における定期予約録画は以下に述べる定期予約録画識別子、記録先媒体識別子、コンテンツ総数、記録済媒体識別子、コンテンツ識別子、の５種類の情報で構成する。定期予約録画識別子は、定期予約録画設定を一意に識別するための値で、定期予約録画設定情報で設定された定期予約録画識別子と同一の値を退避する。記録先媒体識別子は、定期予約録画識別子で特定される定期予約録画の録画先となる記録媒体を一意に識別する為の値で、定期予約録画設定情報で設定された記録先媒体識別子と同一の値を退避する。コンテンツ総数は、定期予約録画識別子で特定される定期予約録画で録画されたコンテンツの総数を退避する。記録済媒体識別子は、定期予約録画識別子で特定される定期予約録画で録画されたコンテンツが、実際に記録された記録先媒体を一意に識別する値を設定する。代替録画が発生した場合は、この記録済媒体識別子と記録先媒体識別子が異なる状態となる。コンテンツ識別子は、定期予約録画識別子で特定される定期予約録画で録画されたコンテンツを、記録媒体上で一意に識別する値を設定する。なお、定期予約録画コンテンツ管理情報では、記録済媒体識別子とコンテンツ識別子の組は、該当する定期予約録画識別子に対して行われた録画処理順に追記される。その追記順の情報を参照して、後述するＡＶコンテンツ管理情報が更新される。
【００３１】
図１３（ａ）に、ＡＶコンテンツ管理情報の概略構造を示す。ＡＶコンテンツ管理情報は各記録媒体に退避される情報で、記録媒体の記録状態を管理する情報であり、少なくとも記録媒体の識別情報、記録媒体の空き容量、記録媒体に記録可能なＡＶコンテンツ数の最大値、記録媒体に記録可能な実体プレイリスト数の最大値、記録媒体に記録可能な実体ストリームファイル数の最大値、記録媒体に記録されているＡＶコンテンツ数、記録媒体に記録されているＡＶコンテンツの実体プレイリスト数、記録媒体に記録されているＡＶコンテンツの実体ストリームファイル数、記録媒体に記録されているＡＶコンテンツの実体プレイリスト数分の実体プレイリスト情報、を含んだ構成である。なお、各最大値の値については、記録媒体の記録フォーマット識別子を別途退避しておき、予め記録フォーマットで規定される規格値を引用する方法でも良い。
【００３２】
図１３（ｂ）に、ＡＶコンテンツ管理情報内の実体プレイリスト情報の概略構造を示す。実体プレイリスト情報は記録媒体に退避される情報で、エンドユーザの操作対象となるＡＶコンテンツを管理する情報であり、少なくとも実体プレイリスト情報単位の固有の識別子であるコンテンツ識別子と、再生区間数と、再生区間毎の実体ストリームファイルの先頭位置と末尾位置情報を含んだ構成である。コンテンツ識別子デフォルト値としてコンテンツの作成順にシーケンシャルな値を設定する。先頭位置は実体ＡＶストリームデータが記録されているＣｌｉｐファイル識別子と、該Ｃｌｉｐファイル内に記録されたＡＶストリームデータのＣｌｉｐファイル先頭からの相対位置を時分秒で管理する情報から構成される。末尾位置も開始位置と同様の構成を持つ。
実体ストリームファイルはＭＰＥＧ２トランスポートストリームの構造に準ずるものとする。ＡＶコンテンツデータは時間軸上に展開され、実体プレイリスト情報は実体ストリームファイル内のアクセス位置を時分秒で指定する。
以上示したように、図１２（ｂ）で示した定期予約録画コンテンツ管理情報と、図１３で示したＡＶコンテンツ管理情報は独立している。
しかし、両情報で共通の情報となる、前記定期予約録画設定情報に記録されるコンテンツ識別子と、実体プレイリスト情報単位のコンテンツ識別子のどちらかが更新された場合に同期することで、両情報間の整合性を管理する。
【００３３】
以上、説明した、図１２（ａ）の定期予約録画設定情報と、図１２（ｂ）の定期予約録画コンテンツ管理情報が、図４（ａ）で示した状態の時の内容を、図１４（ａ）、図１４（ｂ）に示す。ただし、ユーザによる定期予約録画は１つのみ設定されているものとし、その内容は、毎週月曜、２０時〜２１時、４Ｃｈ、に放送される番組を、記録先媒体識別子：Ｄ−０１が付与されたＤＶＤ−ＲＡＭに記録するものとする。ここで図１４（ｂ）の記録先媒体識別子（Ｄ−０１）と、記録済媒体識別子（Ｈ−０１）が異なっている。これは定期予約録画設定時では、記録先媒体としてＤＶＤ（記録媒体識別子：Ｄ−０１）を指定したものの、定期予約録画時刻で該ＤＶＤが未装着状態だったため、ＨＤＤ（記録媒体識別子：Ｈ−０１）に録画されたことを示す。すわなち、定期予約録画識別子（Ｒｅｇ−０１）で特定される定期予約録画の第一回目の録画は代替録画されていることを示す。
また、図１３（ａ）のＡＶコンテンツ管理情報が、図４（ａ）で示した状態の時のＨＤＤ側の内容を、図１６（ａ）、ＤＶＤ側の内容を図１６（ｂ）に示す。
次に、図４（ｂ）で示した状態の時の定期予約録画コンテンツ管理情報の内容を図１５（ａ）に示す。定期予約録画設定情報は図１４（ａ）の状態から変化は無い。
また、図１３（ａ）のＡＶコンテンツ管理情報が、図４（ｂ）で示した状態の時のＨＤＤ側の内容を、図１７（ａ）、ＤＶＤ側の内容を図１７（ｂ）に示す。但し、ＨＤＤ側の内容は図１６（ａ）の状態からは変化していない。ここでは、定期予約録画識別子（Ｒｅｇ−０１）の２回目、及び３回目の録画が、本来の記録先媒体であるＤＶＤ（記録媒体識別子：Ｄ−０１）に対して行われた内容となっている。
【００３４】
次に、図４（ｃ）で示した状態の時の定期予約録画コンテンツ管理情報の内容を図１５（ｂ）に示す。定期予約録画設定情報は図１４（ａ）の状態から変化は無い。
ＨＤＤ側に代替録画されていた一回目のコンテンツ（記録媒体識別子：Ｈ−０１、コンテンツ識別子：ＲＰＬ−１）は、ＤＶＤ（記録媒体識別子：Ｄ−０１）へのダビング終了時に、ＤＶＤ側のＡＶコンテンツ管理情報と対応付けて、ＤＶＤ側の３番目のコンテンツ（記録媒体識別子：Ｄ−０１、コンテンツ識別子：ＲＰＬ−３）として変更する。
また、図１３（ａ）のＡＶコンテンツ管理情報の、図４（ｃ）で示した状態の時のＨＤＤ側の内容を図１８（ａ）、ＤＶＤ側の内容を図１８（ｂ）に示す。ＨＤＤ側に代替録画されたコンテンツ（第１話）をＤＶＤ側にダビング移動したため、ＨＤＤ側に残っているコンテンツは無い状態である。ＤＶＤ側はダビングによってコンテンツ（第１話）を新たに追加する形となるため、該コンテンツに付与される実体プレイリスト情報の識別子として新たにＲＰＬ−３が付与される。
【００３５】
次に、図５（ａ）で示した状態の時の定期予約録画コンテンツ管理情報の内容を図１５（ｃ）に示す。定期予約録画設定情報は図１４（ａ）の状態から変化は無い。
また、図１３（ａ）のＡＶコンテンツ管理情報の、図５（ａ）で示した状態の時のＨＤＤ側の内容を図１９（ａ）、ＤＶＤ側の内容を図１９（ｂ）に示す。
図１８（ｂ）の状態から、図１９（ｂ）の状態の遷移においては、図１５（ｂ）の状態の定期予約録画コンテンツ管理情報を参照することで、記録媒体識別子の情報を更新している。すなわち、定期予約録画コンテンツ管理情報の、記録媒体識別子とコンテンツ識別子の組は、該当する定期予約録画識別子に対して行われた録画処理順に追記された状態が保持されている。従って、図１５（ｂ）のコンテンツ識別子の並びより、録画順に対応した録画コンテンツの再生順が、ＲＰＬ−３、ＲＰＬ−１、ＲＰＬ−２であることがわかる。
一方、図１９（ｂ）の状態はこの再生順に対応するように、図１８（ｂ）の状態、すなわちＨＤＤからＤＶＤへのダビング終了時点でのＲＰＬ−３、ＲＰＬ−１、ＲＰＬ−２がシーケンス順になるように、ＲＰＬ−３をＲＰＬ−１に、ＲＰＬ−１をＲＰＬ−２に、ＲＰＬ−２をＲＰＬ−３に変更して図１９（ｂ）の状態に遷移する。このＡＶコンテンツ管理情報の変更結果を定期予約録画コンテンツ管理情報にも同様に反映して、図１５（ｂ）から図１５（ｃ）の状態に遷移する。
【００３６】
以上の様に構成されたダビングコンテンツ再生順番制御装置の定期予約録画制御と定期予約録画コンテンツダビング制御における動作について説明する。
図９は、定期予約録画設定が行われたことの通知を受けて行う定期予約録画制御処理と、定期予約録画コンテンツのダビング設定が行われたことの通知をうけて行う定期予約録画コンテンツダビング制御処理のフローチャートである。
先ず、ダビングコンテンツ再生順番制御装置は、ユーザによって定期予約録画設定が行われた通知を受けた場合に（ステップＳ９００）、定期予約録画設定情報を作成または更新する（ステップＳ９０１）。定期予約録画設定情報のフォーマット構造は図１２（ａ）に示したとおりである。定期予約録画設定情報の図４（ａ）の状態における内容は図１４（ａ）に示したとおりである。
【００３７】
次に、定期予約録画設定の開始時刻の通知を受けた場合に（ステップＳ９０２）、定期予約録画設定の記録先媒体識別子で設定した記録先媒体が装着されているか否かを判断する（ステップＳ９０３）。記録先媒体が装着されている場合は記録先媒体に録画処理を行い（ステップＳ９０４）、記録先媒体のＡＶコンテンツ管理情報を更新し（ステップＳ９０６）、記録先媒体が装着されていない場合は他の利用できる記録先媒体に代替録画処理を行い（ステップＳ９０５）代替記録先媒体のＡＶコンテンツ管理情報を更新する（ステップＳ９０６）。ＡＶコンテンツ管理情報を更新後、定期予約録画コンテンツ管理情報の作成または更新を行う（ステップＳ９０７）。ＡＶコンテンツ管理情報のフォーマット構造は図１３（ａ）、及び図１３（ｂ）に示したとおりである。ＡＶコンテンツ管理情報の図４（ａ）の状態における内容は図１６（ａ）、及び図１６（ｂ）に示したとおりである。ＡＶコンテンツ管理情報の図４（ｂ）の状態における内容は図１７（ａ）、及び図１７（ｂ）に示したとおりである。定期予約録画コンテンツ管理情報のフォーマット構造は図１２（ｂ）に示したとおりである。定期予約録画コンテンツ管理情報の図４（ａ）の状態における内容は図１４（ｂ）に示したとおりである。定期予約録画コンテンツ管理情報の図４（ｂ）の状態における内容は図１５（ａ）に示したとおりである。
【００３８】
次に、定期予約録画により録画されたコンテンツに対するダビング設定の通知を受け（ステップＳ９０８）、設定内容に従ったダビング処理を行う（ステップＳ９０９）。ＡＶコンテンツ管理情報の図４（ｃ）の状態における内容は図１８（ａ）、及び図１８（ｂ）に示したとおりである。定期予約録画コンテンツ管理情報の図４（ｃ）の状態における内容は図１５（ｂ）に示したとおりである。
ダビング完了後、定期予約録画設定で設定された記録先媒体とダビング元コンテンツの記録媒体が異なるか否かを判断する（ステップＳ９１０）。
異なる場合は、定期予約録画コンテンツ管理情報に退避される記録コンテンツの順番と同様になるように、記録先媒体のＡＶコンテンツ管理情報を更新する（ステップＳ９１１）。図１５（ｂ）に退避された記録コンテンツの順番と同様になるように更新されたＡＶコンテンツ管理情報の内容を図１９（ａ）、及び図１９（ｂ）に示す。
記録先媒体のＡＶコンテンツ管理情報を更新した場合は、更新後のＡＶコンテンツ管理情報に合わせて定期予約録画コンテンツ管理情報を更新する（ステップＳ９１２）。図１５（ｂ）に示した定期予約録画コンテンツ管理情報を、図１９（ｂ）に示したＡＶコンテンツ管理情報に合わせて更新した内容を図１５（ｃ）に示す。
【００３９】
以上のようにして、本発明の第一実施例では、従来例と異なり、定期予約録画制御処理によって、定期予約録画処理が行われる場合に録画される一連のコンテンツを定期予約録画単位に管理する定期予約録画コンテンツ管理情報を作成し、定期予約録画コンテンツダビング制御処理によって、代替録画された定期予約録画コンテンツのダビング先でのコンテンツ識別情報を定期予約録画順に再設定する制御を行うことができる。
その結果、定期予約録画コンテンツがダビングされた記録媒体は、録画再生装置に依存することなく、コンテンツ識別子順の再生を行うことで、定期予約録画で録画された順の再生を行うことができる。
【００４０】
（実施の形態２）
第二実施例は定期予約録画時に代替録画されたコンテンツを次回定期予約録画が開始される前に本来の記録先媒体にダビングすることで、本来の記録先媒体でのコンテンツ識別子を定期予約録画順に設定する定期予約録画制御に関するものである。図６に本実施例における代替録画されたコンテンツを本来の記録先媒体へダビングするシーケンスの概要を示す。定期予約録画設定情報は、図１４（ａ）で示した内容とする。すなわち、定期予約録画の記録先媒体はＤＶＤ−ＲＡＭである。図６において、時間経過は上から下へ流れるものとする。図中、第1週、第２週、第３週で示すポイントは、定期予約録画が発生するタイミングを示す。ここで、第１週ではＤＶＤ−ＲＡＭが未装着であった為、ＨＤＤ側に第1週目のコンテンツとして第１話がＨＤＤ上に代替録画されている。第２週の定期予約録画では、ＤＶＤ−ＲＡＭが装着状態であった為、第２週目のコンテンツとして第２話がＤＶＤ−ＲＡＭ上に録画されている。但し、ＤＶＤ−ＲＡＭが装着されたタイミングが、第２週目の定期予約録画が始まる前で、かつＨＤＤ上に代替録画された第１話をダビング処理する時間があった為、第２話を録画する前に第１話のダビングを事前に行っている。従って、ＤＶＤ−ＲＡＭ上のＡＶコンテンツ管理情報のコンテンツ識別子の順を、定期予約録画管理情報に退避されているコンテンツ識別子の順と一致させて記録することができる。
【００４１】
（装置の動作）
本実施例に係るダビングコンテンツ再生順番制御装置の構成は、第１実施例と同一である。
但し、ＲＯＭに内蔵される制御プログラムは、第１実施例のものと異なるので、定期予約録画制御の方法が異なる。
図１０に本発明の第２実施例における定期予約録画制御の為のフローチャートを示す。
先ず、ダビングコンテンツ再生順番制御装置は、ユーザによる定期予約録画設定がされている状態で、定期予約録画設定の記録先媒体識別子で設定した記録先媒体が未装着状態から装着された通知を受ける（ステップＳ１０００）。
装着通知を受けたならば、定期予約録画コンテンツ管理情報に代替録画されたコンテンツが管理されているか否かを確認する（ステップＳ１００１）。
確認の結果、代替録画コンテンツがあれば、次回定期予約録画が開始されるまでの余裕時間を算出後（ステップＳ１００２）、代替録画コンテンツを定期予約録画設定の記録先媒体識別子で設定した記録先媒体へダビングする場合の所要時間を算出し（ステップＳ１００３）、次回定期予約録画が開始されるまでに、代替録画コンテンツのダビングが完了するか否かの判定を行う（ステップＳ１００４）。次回定期予約録画が開始されるまでに、代替録画コンテンツのダビングが完了する場合はダビング処理を行う（ステップＳ１００５）。
【００４２】
以上のようにして、本発明の第二実施例では、第一実施例と異なり、次回定期予約録画が開始される迄に定期予約録画の記録先媒体が装着状態となる条件はあるものの、記録先媒体のＡＶコンテンツ管理情報を編集することなく、定期予約録画のコンテンツ識別子を録画順に合わせて設定することができる。
【００４３】
（実施の形態３）
第三実施例はユーザによる定期予約録画設定で、記録先媒体としてＤＶＤ−Ｒ等の追記型媒体が設定された場合の定期予約録画制御に関するものである。図７に本実施例において課題となる定期予約録画のダビングシーケンスを示す。図７の記載項目名は図６と同一である。但し、代替録画コンテンツのダビング時の条件が異なるため、図６とは異なる処理が行われている。すなわち、図６においては、第２週の定期予約録画が開始される迄に、代替録画されていた第１週の録画コンテンツ（第１話）を、ダビングすることが可能であった。しかし、図７においては、ＤＶＤ−ＲＡＭが装着状態になったタイミングが遅かった為、第２話の定期予約録画が開始される迄に、第１話の事前ダビングが行えなかった状態となっている。
そこで、第２話の録画完了後、第３話の定期予約録画が開始される迄の余裕時間内に第１話のダビングが行えた為、第１話のダビング完了後にＤＶＤ−ＲＡＭのＡＶコンテンツ管理情報を編集し、ＤＶＤ−ＲＡＭ上の第１話、及び第２話のコンテンツ識別情報を更新することで対応を行っている。
【００４４】
しかしながら、上記の制御方法は、記録先媒体が書き換え可能であったため可能であった。記録先媒体が追記型の場合は、既に記録済みのコンテンツに関する管理情報を更新することは困難である。
そこで、図８に示す様に、定期予約録画で設定する記録先媒体が追記型媒体の場合においては、定期予約録画を行うタイミングで記録先媒体が装着状態であったとしても、代替録画を行い、記録先媒体が装着状態で、かつ余裕時間が確保できる場合に、代替録画コンテンツを順次ダビングすることで、追記型記録媒体のコンテンツ識別子を、定期予約録画管理情報に退避されているコンテンツ識別子の順と一致させて記録することができる。
【００４５】
（装置の動作）
本実施例に係るダビングコンテンツ再生順番制御装置の構成は、第１実施例と同一である。
但し、ＲＯＭに内蔵される制御プログラムは、第１実施例のものと異なるので、定期予約録画制御の方法が異なる。
図１１に本発明の第３実施例における定期予約録画制御の為のフローチャートを示す。
先ず、ダビングコンテンツ再生順番制御装置は、ユーザによる定期予約録画設定がされている状態で、定期予約録画設定の記録先媒体識別子で設定した記録先媒体が未装着状態から装着された通知を受ける（ステップＳ１１００）。
装着通知を受けたならば、定期予約録画コンテンツ管理情報に代替録画されたコンテンツが管理されているか否かを確認する（ステップＳ１１０１）。
代替録画コンテンツ有りならば、定期予約録画設定情報で設定した記録先媒体が書き換え可能な記録媒体か否かを確認する（ステップＳ１１０２）。
確認の結果、代替録画コンテンツが有り、かつ記録先媒体が書き換え可能な記録媒体であれば、次回定期予約録画が開始されるまでの余裕時間を算出後（ステップＳ１１０３）、代替録画コンテンツを定期予約録画設定の記録先媒体識別子で設定した記録先媒体へダビングする場合の所要時間を算出し（ステップＳ１１０４）、次回定期予約録画が開始されるまでに、代替録画コンテンツのダビングが完了するか否かの判定を行う（ステップＳ１１０５）。次回定期予約録画が開始されるまでに、代替録画コンテンツのダビングが完了する場合はダビング処理を行う（ステップＳ１１０６）。
【００４６】
以上のようにして、本発明の第三実施例では、記録先媒体が追記型媒体である場合においても、代替録画コンテンツのダビング処理と、定期予約録画による録画処理が輻湊しない様に制御することで、追記型記録媒体のコンテンツ識別子を、定期予約録画管理情報に退避されているコンテンツ識別子の順と一致させて記録することができる。
【００４７】
以上、本発明に係るダビングコンテンツ再生順番制御装置の構成、及び定期予約録画制御方法と定期予約録画コンテンツダビング制御方法について、実施の形態に基づいて説明したが、本発明はこれら実施の形態に限られないことは勿論である。即ち、
（１）上記実施の形態では、１つの録画再生装置内に２つの記録媒体が装着可能なシステムであったが、これに限定されるものではなく、記録媒体が単一の録画再生装置によって構成される２つ以上の記録媒体を備えた録画再生システムであっても良い。
（２）上記実施の形態では、記録媒体がDVD-RAM、及びDVD-Rであったが、これに限定されるものではなく、例えば、Blu-ray Disc、DVD-RW、DVD+RW、CD-R、CD-RW、SDカード、PCカード、MO、MD、PD、スマートメディア、コンパクトフラッシュ（登録商標）、マルチメディアカード、メモリスティック等の記録可能なメディアであっても良い。
【産業上の利用可能性】
【００４８】
本発明にかかる定期予約録画制御機能と定期予約録画コンテンツダビング制御機能を有するダビングコンテンツ再生順番制御装置は、ホームサーバ−システムにおけるライブラリ管理装置として有用である。
【図面の簡単な説明】
【００４９】
【図１】本発明の実施の形態におけるダビングコンテンツ再生順番制御装置の構成を示す図
【図２】本発明の実施の形態１における定期予約録画制御部と定期予約録画コンテンツダビング制御部の構成を示す図
【図３】本発明の実施の形態２における定期予約録画制御部と定期予約録画コンテンツダビング制御部の構成を示す図
【図４】本発明の実施の形態１における定期予約録画処理の従来例での課題の概要を示す図
【図５】本発明の実施の形態１における定期予約録画制御と定期予約録画コンテンツダビング制御を行った場合の効果の概要を示す図
【図６】本発明の実施の形態２における定期予約録画制御と定期予約録画コンテンツダビング制御を行った場合の効果の概要を示す図
【図７】本発明の実施の形態２における定期予約録画制御と定期予約録画コンテンツダビング制御を追記型記録媒体に対して行った場合の課題の概要を示す図
【図８】本発明の実施の形態３における定期予約録画制御と定期予約録画コンテンツダビング制御を追記型記録媒体に対して行った場合の効果の概要を示す図
【図９】本発明の実施の形態１における定期予約録画制御処理と定期予約録画コンテンツダビング制御処理のフローチャート
【図１０】本発明の実施の形態２における定期予約録画制御処理と定期予約録画コンテンツダビング制御処理のフローチャート
【図１１】本発明の実施の形態３における定期予約録画制御処理と定期予約録画コンテンツダビング制御処理のフローチャート
【図１２】本発明の実施の形態１における定期予約録画設定情報と定期予約録画コンテンツ管理情報の構造を示す図
【図１３】本発明の実施の形態１におけるＡＶコンテンツ管理情報の構造を示す図
【図１４】本発明の実施の形態１における定期予約録画設定情報と定期予約録画コンテンツ管理情報の代替録画処理が行われた時の状態を示す図
【図１５】本発明の実施の形態１における定期予約録画設定情報と定期予約録画コンテンツ管理情報の定期予約録画設定した記録先媒体に録画処理が行われた時の状態を示す図
【図１６】本発明の実施の形態１におけるＡＶコンテンツ管理情報の代替録画処理が行われた時の状態を示す図
【図１７】本発明の実施の形態１におけるＡＶコンテンツ管理情報の定期予約録画設定した記録先媒体に録画処理が行われた時の状態を示す図
【図１８】本発明の実施の形態１におけるＡＶコンテンツ管理情報の代替録画コンテンツを定期予約録画設定した記録先媒体にダビングを行った時の状態を示す図
【図１９】本発明の実施の形態１におけるＡＶコンテンツ管理情報の代替録画コンテンツを定期予約録画設定した記録先媒体にダビングを行った時の状態を示す図
【符号の説明】
【００５０】
１００  外部機器
１０１  リモコン
１０２  アンテナ
１０３  モニター
１１０  外部入出力
１１１  ユーザ入力
１１２  チューナー
１１３  エンコーダ
１１４  オーバーレイ
１１５  出力制御部
１１６  デコーダ
１１７  ＯＳＤ表示
１２０  バス
１３０  内蔵タイマー
１３１  ＣＰＵ
１３２  ＲＯＭ
１３３  ＲＡＭ
１３４  記録媒体
２００  定期予約録画設定手段
２０１  定期予約録画設定情報
２０２  記録媒体検知手段
２０３  タイマー手段
２０４  定期予約録画制御手段
２０５  録画手段
２０６  定期予約録画コンテンツ管理情報
２０７  ダビング設定手段
２０８  定期予約録画コンテンツダビング制御手段
２０９  ダビング手段
２１０  コンテンツ識別子編集手段
【図１】
2005328193.tif 000003
【図２】
2005328193.tif 000004
【図３】
2005328193.tif 000005
【図４】
2005328193.tif 000006
【図５】
2005328193.tif 000007
【図６】
2005328193.tif 000008
【図７】
2005328193.tif 000009
【図８】
2005328193.tif 000010
【図９】
2005328193.tif 000011
【図１０】
2005328193.tif 000012
【図１１】
2005328193.tif 000013
【図１２】
2005328193.tif 000014
【図１３】
2005328193.tif 000015
【図１４】
2005328193.tif 000016
【図１５】
2005328193.tif 000017
【図１６】
2005328193.tif 000018
【図１７】
2005328193.tif 000019
【図１８】
2005328193.tif 000020
【図１９】
2005328193.tif 000021